(57)【要約】【課題】本発明はタンクのフランジに複数の機器を取り付けられることを課題とする。【解決手段】継手８０は、第１の取付部８４を有する主筒部１００と、第２の取付部８６を有する副筒部１１０とを有する。主筒部１００と副筒部１１０とは、外周同士が一体的に繋がった状態に形成されている。第１の取付部８４の上部には、液面計９０が螺入させるための第１のネジ孔８５が設けられている。また、第２の取付部８６の上部には、第１のネジ孔８５の孔径Ｄ１よりも小径な孔径Ｄ２を有する第２のネジ孔８７が設けられている（Ｄ１＞Ｄ２）。第１の取付部８４の方が第２の取付部８６よりも高く形成されており、第１の取付部８４の高さＨ１と第２の取付部８６の高さＨ２とはＨ１＞Ｈ２の関係になっている。【選択図】図５
2009174595.tif 000002
【特許請求の範囲】
【請求項１】
タンクに設けられた継手であって、
前記タンクに設けられた取付部に取り付けるフランジと、
該フランジに設けられ、内部にねじ孔を有する主筒部と、
該主筒部に隣接して一体に設けられ、内部にねじ孔を有する副筒部と、
前記主筒部と前記副筒部とのうち少なくとも何れか一方の上端を閉塞する蓋材と、を有し、
前記主筒部の上端の高さと前記副筒部の上端の高さとを異ならせたことを特徴とする継手。
【請求項２】
請求項１に記載の継手であって、
前記副筒部は、複数設けられ、前記主筒部の周方向に並設させたことを特徴とする継手。
【請求項３】
請求項１または２に記載の継手であって、
前記副筒部のネジ孔径は、前記主筒部のネジ孔径と異ならせたことを特徴とする継手。
【発明の詳細な説明】
【技術分野】
【０００１】
本発明はタンクに取り付けられる継手に係り、特にタンクの頂部近傍に取り付けられ、タンクに取り付けられる各種機器の接続部を提供する継手に関する。
【背景技術】
【０００２】
例えば、給油所の地中に埋設される地下タンクの頂部近傍には、地上に設置された計量機と油液を送液する送液配管、地上の通気管に連通された通気用配管、タンクローリ車から油液を荷卸しするための注油配管等が接続される（例えば、特許文献１参照）。
【０００３】
また、地下タンクの頂部には、内部の油液の液面高さを検出するための液面計が取り付けられている。このように、地下タンクは、複数の配管を接続するための複数の取付部としてのフランジが頂部に設けられているが、その設置数には限りがあり、余分なフランジは設けられていない。
【０００４】
そのため、地下タンク内部のメンテナンスや清掃を行なう場合は、例えば、液面計を地下タンクの頂部から外してメンテナンス用機器や清掃用機器をタンク内部に挿入して作業を行なっている。
【特許文献１】特開平１０−１９７１７号公報
【発明の開示】
【発明が解決しようとする課題】
【０００５】
しかしながら、従来は、地下タンクの上部に余分なフランジが設けられていなかったため、地下タンク内部のメンテナンスや清掃の作業を行なう度に液面計を外し、作業終了後に液面計を取付けるといった面倒な作業を行なわなければならず、その分余計な時間と労力を要していた。
【０００６】
そこで、本発明は上記事情に鑑み、上記課題を解決したタンクに取り付けられる継手を提供することを目的とする。
【課題を解決するための手段】
【０００７】
上記課題を解決するため、本発明は以下のような手段を有する。
【０００８】
本発明は、タンクに設けられた継手であって、
前記タンクに設けられた取付部に取り付けるフランジと、
該フランジに設けられ、内部にねじ孔を有する主筒部と、
該主筒部に隣接して一体に設けられ、内部にねじ孔を有する副筒部と、
前記主筒部と前記副筒部とのうち少なくとも何れか一方の上端を閉塞する蓋材と、を有し、
前記主筒部の上端の高さと前記副筒部の上端の高さとを異ならせたことにより、上記課題を解決するものである。
【０００９】
また、本発明は、請求項１に記載の継手であって、前記副筒部は、複数設けられ、前記主筒部の周方向に並設させたことにより、上記課題を解決するものである。
【００１０】
また、本発明は、請求項１または２に記載の継手であって、前記副筒部のネジ孔径は、前記主筒部のネジ孔径と異ならせたことにより、上記課題を解決するものである。
【発明の効果】
【００１１】
本発明によれば、フランジに主筒部と副筒部とが一体に形成されるため、主筒部に取り付けられている機器を外さずに副筒部に別の機器を取り付けることができ、タンクのメンテナンスや清掃などの作業を効率良く行なうことができる。しかも、主筒部と副筒部とが一体に形成したことにより、筒部相互の根元部分の強度をアップすることができるとともに、両筒部を別個独立して設けるのに比べ、その占有面積を少なくすることができ、これらフランジの周りを取り囲むように設けられるマンホールも小さくすることが可能である。
【発明を実施するための最良の形態】
【００１２】
以下、図面を参照して本発明を実施するための最良の形態について説明する。
【実施例１】
【００１３】
図１は本発明によるタンクに取り付けられる継手の一実施例を示す構成図である。図１に示されるように、地下タンク１０は、基礎スラブコンクリート２０に載置された状態で地中に埋設されており、さらに、支柱３０により支持された上部スラブコンクリート４０により上方を覆われている。尚、基礎スラブコンクリート２０と上部スラブコンクリート４０との間には、土壌４２が充填されている。
【００１４】
また、地下タンク１０の頂部には、タンク上部ボックス５０，６０が設けられている。一方のタンク上部ボックス５０は、端部（図１中左端）のタンク頂部に設けられ、他方のタンク上部ボックス６０は、タンク長手方向の中間部分のタンク頂部に設けられている。また、タンク上部ボックス５０，６０は、地下タンク１０の上部に配管接続用の空間を形成しており、側方から各配管が挿入される構成になっている。
【００１５】
図２はタンク上部ボックス６０を上方からみた平面図である。図３はタンク上部ボックス６０をタンク長手方向からみたＡ−Ａ'矢視断面図である。図４はタンク上部ボックス６０をタンク半径方向からみたＢ−Ｂ'矢視立面図である。図２乃至図４に示されるように、タンク上部ボックス６０には、地下タンク１０の頂部に突出する立上がり管の注油管接続用フランジ６１〜６５と、通気管接続用フランジ６６と、液面計用フランジ７０とが設けられている。注油管接続用フランジ６１〜６５には、注油管接続配管６６ａ〜６６ｅが水平方向に配設され、通気管接続用フランジ６７には、通気管接続配管６８が水平方向に配設されている。
【００１６】
液面計用フランジ７０には、継手８０が取り付けられている。この継手８０は、液面計用フランジ７０に締結される取付フランジ８２と、液面計９０が取り付けられる第１の取付部８４と、その他の機器が取り付けられる第２の取付部８６とが一体的に設けられている。第１の取付部８４と第２の取付部８６とは、隣接されており、その高さ位置が異なるように形成されている。また、継手８０を取付けるための継手取付部としては、上記のような液面計用フランジ７０または、タンク頂部に設けられたスタッドボルトなどがあり、タンクによって異なる。
【００１７】
ここで、継手８０の構成について説明する。図５は継手８０の縦断面図である。図６は継手８０の平面図である。図５及び図６に示されるように、継手８０は、第１の取付部８４を有する主筒部１００と、第２の取付部８６を有する副筒部１１０とを有する。主筒部１００と副筒部１１０とは、外周同士が一体的に繋がった状態に形成されている。
【００１８】
第１の取付部８４の上部には、液面計９０が螺入させるための第１のネジ孔８５が設けられている。また、第２の取付部８６の上部には、第１のネジ孔８５の孔径Ｄ１よりも小径な孔径Ｄ２を有する第２のネジ孔８７が設けられている（Ｄ１＞Ｄ２）。
【００１９】
第１のネジ孔８５及び第２のネジ孔８７には、継手８０が工場から出荷されて地下タンク１０に取付けられるまでの間、主筒部１００の上端、副筒部１１０の上端を覆う蓋材１３０（図５中、一点鎖線で示す）が螺入されている。これにより、運搬中の振動などによって主筒部１００及び副筒部１１０が損傷することが防止される。また、蓋材１３０は、第１のネジ孔８５または第２のネジ孔８７に螺入されるように雄ネジが形成されており、主筒部１００または副筒部１１０に何らかの機器を取り付ける際に外される。なお、図５においては、主筒部１００の上端に機器を取り付けるため、第１の取付部８４から蓋材が外されており、副筒部１１０には蓋材１３０が螺入された状態を示している。また、これとは逆に、取付けられる機器の種別によっては、主筒部１００の上端に蓋材を螺入させて第１の取付部８４を閉塞し、副筒部１１０から蓋材１３０を外して第２の取付部８６に他の機器を取付ける場合もある。
【００２０】
さらに、第１のネジ孔８５は、主筒部１００の主内部通路１０２に連通され、第２のネジ孔８７は副筒部１１０の副内部通路１１２に連通されている。主内部通路１０２と副内部通路１１２とは、上下方向に延在形成されており、夫々並列に設けられて地下タンク１０に連通される。
【００２１】
本実施例では、第１の取付部８４の方が第２の取付部８６よりも高く形成されており、第１の取付部８４の高さＨ１と第２の取付部８６の高さＨ２とはＨ１＞Ｈ２の関係になっている。また、第２の取付部８６の高さ位置は、第１の取付部８４の高さ位置の半分程度であるので、例えば、第１の取付部８４に液面計９０が取り付けられたまま、他の機器（メンテナンス用機器や清掃用機器など）を容易に取り付けることができる。
【００２２】
取付フランジ８２には、液面計用フランジ７０に締結するための取付ボルト８３が挿通されるボルト挿通孔８２ａが設けられている。また、取付フランジ８２の上端には、液面計用フランジ７０に対する取付方向を規定するためのマーク１２０が設けられている。取付作業時は、このマーク１２０の方向が地下タンク１０の長手方向と一致するように取付フランジ８２の向きを調整する。これにより、第１の取付部８４及び第２の取付部８６に取り付けられた機器の先端部分が共に、地下タンク１０の底部の低い位置に挿入させることができる。
【００２３】
このように、継手８０は、第１の取付部８４を有する主筒部１００と、高さの異なる第２の取付部８６を有する副筒部１１０とが一体に設けられているので、第１の取付部８４及び第２の取付部８６の夫々に別の機器を容易に取り付けることができると共に、強度的にも剛性が高められて複数の機器を安定した状態に保持することも可能である。
【００２４】
ここで、変形例について説明する。
【００２５】
図７は変形例１を示す平面図である。尚、図７において、上記実施例と同一部分には、同一符号を付してその説明を省略する。
【００２６】
図７に示されるように、変形例１の継手２００は、主筒部１００の外周より側方に突出する副筒部２１０が扇状に形成されている。この副筒部２１０には、複数（本変形例１では３つを示すが、３つ以上でも良い）の副内部通路２１１〜２１３が周方向に並列に設けられている。そのため、継手２００では、液面計９０以外の機器を３種類取り付けることができる。
【００２７】
また、副内部通路２１１〜２１３は、夫々ネジ孔２２１〜２２３の内径が同径でも良いし、あるいは、夫々異なる内径としても良い。
【００２８】
図８は変形例２を示す平面図である。尚、図８において、上記実施例と同一部分には、同一符号を付してその説明を省略する。
【００２９】
図８に示されるように、変形例２の継手３００は、主筒部１００の外周に複数（本変形例２では３つを示すが、３つ以上でも良い）の副筒部８６が周方向に並設されている。
【００３０】
この変形例２では、同じ径を有する副筒部８６が３箇所に設けられており、液面計９０以外の機器を３種類取り付けることができる。
【産業上の利用可能性】
【００３１】
上記実施例では、地下タンクを例に挙げて説明したが、これに限らず、地上設置型タンクにも本発明を適用できるのは勿論である。
【００３２】
また、上記実施例では、油液を貯蔵する地下タンクに取り付けられる取付継手を一例として挙げたが、これに限らず、他の液体（例えば、化学薬品や食料品など）を貯蔵するタンクにも本発明を適用できるのは勿論である。
【図面の簡単な説明】
【００３３】
【図１】本発明によるタンクに取り付けられる継手の一実施例を示す構成図である。
【図２】タンク上部ボックス６０を上方からみた平面図である。
【図３】タンク上部ボックス６０をタンク長手方向からみたＡ−Ａ'矢視断面図である。
【図４】タンク上部ボックス６０をタンク半径方向からみたＢ−Ｂ'矢視立面図である。
【図５】継手８０の縦断面図である。
【図６】継手８０の平面図である。
【図７】変形例１を示す平面図である。
【図８】変形例２を示す平面図である。
【符号の説明】
【００３４】
１０  地下タンク
６０  タンク上部ボックス
７０  液面計用フランジ
８０，２００，３００  継手
８４  第１の取付部
８５  第１のネジ孔
８６  第２の取付部
８７  第２のネジ孔
９０  液面計
１００  主筒部
１０２  主内部通路
１１０  副筒部
１１２  副内部通路
１３０  蓋材
２１０  副筒部
２１１〜２１３  副内部通路
【図１】
2009174595.tif 000003
【図２】
2009174595.tif 000004
【図３】
2009174595.tif 000005
【図４】
2009174595.tif 000006
【図５】
2009174595.tif 000007
【図６】
2009174595.tif 000008
【図７】
2009174595.tif 000009
【図８】
2009174595.tif 000010